(57)【要約】【課題】簡単な構成で、配信するコンテンツのファイル名が消去されることなく、コンテンツの登録と管理を容易にできるコンテンツ配信装置、コンテンツ表示装置及びプログラムを提供する。【解決手段】コンテンツを表示可能なコンテンツ表示装置と接続可能なコンテンツ配信装置（２０）において、コンテンツを配信するコンテンツ配信プログラム（２４４）の機能として、コンテンツ表示装置に送信するコンテンツのリストを生成するリスト生成機能（２５０）と、リストに含まれるコンテンツのファイル名をコンテンツ表示装置がコンテンツを表示する順に連続となるように決定するファイル名決定機能（２６０）と、ファイル名決定機能（２６０）により決定されたファイル名で、リストに含まれるコンテンツをコンテンツ表示装置に送信するコンテンツ送信機能（２７０）と、を備えることを特徴とする。【選択図】図４
2020144903.tif 000002
【特許請求の範囲】
【請求項１】
コンテンツ配信装置から配信されるコンテンツを受信する受信部と、前記受信したコンテンツを記憶する記憶部と、前記コンテンツを表示する表示部と、制御部とを備えたコンテンツ表示装置において、
前記制御部は、
前記コンテンツのコンテンツ名を、前記受信部が受信した順に連続となるように決定し、
前記コンテンツ名順に当該コンテンツを前記表示部に表示する
ことを特徴とするコンテンツ表示装置。
【請求項２】
前記制御部は、
前記記憶部に、前記コンテンツを記憶する特定のフォルダが存在する場合、当該特定のフォルダに記憶されているコンテンツを削除し、
前記コンテンツを、前記決定したコンテンツ名で前記特定のフォルダに記憶する
ことを特徴とする請求項１に記載のコンテンツ表示装置。
【請求項３】
前記制御部は、
前記受信部が、前記コンテンツ配信装置からコンテンツの受信を完了した信号を受信したときに、前記コンテンツの生成を行うことを特徴とする請求項１又は２に記載のコンテンツ表示装置。
【請求項４】
前記コンテンツのファイル名は、少なくとも連続した番号が含まれていることを特徴とする請求項１から３の何れか一項に記載のコンテンツ表示装置。
【請求項５】
前記記憶部に記憶されているコンテンツを前記表示部に表示する第１のモードと、外部信号に基づいて前記表示部に表示する第２のモードとを有しており、
前記制御部は、
前記第１のモードにおいて、次に表示するコンテンツがなく、かつ、前記第２のモードに切り替えられないときには、現在表示しているコンテンツを繰り返し表示することを特徴とする請求項１から４の何れか一項に記載のコンテンツ表示装置。
【請求項６】
前記記憶部に記憶されているコンテンツを前記表示部に表示する第１のモードと、外部信号に基づいて前記表示部に表示する第２のモードとを有しており、
前記制御部は、電源状態がＯＮに遷移したときに、前記第１のモードに設定されており、かつ、前記記憶部に前記コンテンツが含まれる特定のフォルダが存在している場合、当該コンテンツを前記表示部にコンテンツ名順に表示することを特徴とする請求項１から４の何れか一項に記載のコンテンツ表示装置。
【請求項７】
コンテンツ配信装置から配信されるコンテンツを受信する受信部と、前記受信したコンテンツを記憶する記憶部と、前記コンテンツを表示する表示部を備えたコンテンツ表示装置における表示方法であって
前記コンテンツのコンテンツ名を、前記受信部が受信した順に連続となるように決定するステップと、
前記コンテンツ名順に当該コンテンツを前記表示部に表示するステップと、
を含むことを特徴とするコンテンツ表示方法。
【請求項８】
コンピュータに、請求項７の表示装置における表示方法の各ステップを実行させるためのプログラム。
【発明の詳細な説明】
【技術分野】
【０００１】
本発明は、コンテンツを表示可能なコンテンツ表示装置等に関する。
【背景技術】
【０００２】
従来、表示装置を利用して、静止画や動画のコンテンツを表示・再生するデジタルサイネージシステムが知られている。デジタルサイネージシステムにおいては、インフォメーションディスプレイと呼ばれる大型の表示装置を利用して、コンテンツを表示するのが特徴である。コンテンツ配信サーバ側から、コンテンツ表示装置に対して、ネットワークを介してコンテンツを配信する方法が知られている（例えば、特許文献１参照）。
【０００３】
しかし、この方法は、表示・再生するコンテンツ（コンテンツファイル）の準備や管理が複雑で難しいという問題点があった。とくに、近年ではディスプレイ（表示装置）の低価格化や、コンパクト化により、一般の利用者が店舗内やショッピングモール内といった場所で利用したいというニーズが増加してきた。
【０００４】
このようなニーズに応えるために、コンテンツを簡易的に利用する方法として。コンテンツのファイルをＵＳＢメモリに記憶し、当該ＵＳＢメモリをコンテンツ表示装置に直接接続する方法が行われている（例えば、特許文献２参照）。これにより、利用者は簡易な方法で、コンテンツを表示・再生することが実現できるようになった。
【先行技術文献】
【特許文献】
【０００５】
【特許文献１】特開２０１４−１６９０６号公報
【特許文献２】特開２００３−１０８１０５号公報
【発明の概要】
【発明が解決しようとする課題】
【０００６】
しかしながら、従来では、コンテンツの入れ替え作業を行う場合は、使用するコンテンツをインフォメーションディスプレイで再生可能なファイル形式に変換し、更に再生順を設定したファイル名を付与する必要があり、作業が煩雑となるという問題があった。
【０００７】
また、コンテンツに再生順のファイル名を付与すると、元のファイル名が消去されることから管理において問題があった。
【０００８】
本発明は、上記問題に鑑みてなされたものであって、簡単な構成で、配信するコンテンツのファイル名が消去されることなく、コンテンツの登録と管理を容易にできるコンテンツ配信装置、コンテンツ表示装置及びプログラムを提供することを目的とする。
【課題を解決するための手段】
【０００９】
本発明は、コンテンツを表示可能なコンテンツ表示装置と接続可能なコンテンツ配信装置において、前記コンテンツ表示装置に送信するコンテンツのリストを生成するリスト生成手段と、前記リストに含まれるコンテンツのファイル名を、前記コンテンツ表示装置が前記コンテンツを表示する順に連続となるように決定するファイル名決定手段と、前記ファイル名決定手段により決定されたファイル名で、前記リストに含まれるコンテンツを前記コンテンツ表示装置に送信するコンテンツ送信手段と、を備えることを特徴とするものである。
【００１０】
また、本発明は、コンテンツ配信装置からコンテンツを受信するコンテンツ受信手段と、前記受信されたコンテンツのファイル名を、受信順に連続となるようにファイル名を決定するファイル名決定手段と、前記受信したコンテンツのファイル名を、前記ファイル名決定手段により決定されたファイル名に変更するファイル名変更手段と、を備えることを特徴とするコンテンツ表示装置である。
【００１１】
また、本発明は、コンテンツを表示可能なコンテンツ表示装置と接続可能なコンピュータによって実行されるプログラムであって、前記コンテンツ表示装置に送信するコンテンツのリストを生成するリスト生成ステップと、前記リストに含まれるコンテンツのファイル名を、前記コンテンツ表示装置が前記コンテンツを表示する順に連続となるように決定するファイル名決定ステップと、前記ファイル名決定ステップにより決定されたファイル名で、前記リストに含まれるコンテンツを前記コンテンツ表示装置に送信するコンテンツ送信ステップと、を実行させることを特徴とするものである。
【発明の効果】
【００１２】
本発明のコンテンツ配信装置によれば、コンテンツを表示可能なコンテンツ表示装置と接続可能なコンテンツ配信装置において、前記コンテンツ表示装置に送信するコンテンツのリストを生成するリスト生成手段と、前記リストに含まれるコンテンツのファイル名を、前記コンテンツ表示装置が前記コンテンツを表示する順に連続となるように決定するファイル名決定手段と、前記ファイル名決定手段により決定されたファイル名で、前記リストに含まれるコンテンツを前記コンテンツ表示装置に送信するコンテンツ送信手段と、を備えることで、コンテンツリストを作成して送信するコンテンツの送信ファイル名を決定して、送信ファイル名に対応したコンテンツファイルを順番にコンテンツ表示装置に送信することができる。このようにして、コンテンツリストを用いることで、コンテンツ配信装置から配信されるコンテンツのファイル名が消去されることなく、コンテンツの登録と管理を容易に行うことができる。
【００１３】
また、本発明のコンテンツ表示装置によれば、コンテンツ配信装置からコンテンツを受信するコンテンツ受信手段と、前記受信されたコンテンツのファイル名を、受信順に連続となるようにファイル名を決定するファイル名決定手段と、前記受信したコンテンツのファイル名を、前記ファイル名決定手段により決定されたファイル名に変更するファイル名変更手段と、を備えることで、コンテンツリストを作成して送信するコンテンツの送信ファイル名を決定して、送信ファイル名に対応したコンテンツファイルを順番に表示することができる。このようにして、コンテンツ配信装置から配信されるコンテンツのファイル名が消去されることなく、コンテンツの登録と管理を容易に行うことができる。
【００１４】
また、本発明のプログラムによれば、コンテンツを表示可能なコンテンツ表示装置と接続可能なコンピュータによって実行されるプログラムであって、前記コンテンツ表示装置に送信するコンテンツのリストを生成するリスト生成ステップと、前記リストに含まれるコンテンツのファイル名を、前記コンテンツ表示装置が前記コンテンツを表示する順に連続となるように決定するファイル名決定ステップと、前記ファイル名決定ステップにより決定されたファイル名で、前記リストに含まれるコンテンツを前記コンテンツ表示装置に送信するコンテンツ送信ステップと、を実行させることで、コンテンツリストを作成して送信するコンテンツの送信ファイル名を決定して、送信ファイル名に対応したコンテンツファイルを順番にコンテンツ表示装置に送信することができる。このようにして、コンテンツリストを用いることで、コンテンツ配信装置から配信されるコンテンツのファイル名が消去されることなく、コンテンツの登録と管理を容易に行うことができる。
【図面の簡単な説明】
【００１５】
【図１】本発明の第１実施形態に係るコンテンツ配信装置の全体構成の概略を示す説明図である。
【図２】前記コンテンツ配信装置を用いるコンテンツ配信システムの全体構成を示す説明図である。
【図３】第１実施形態におけるコンテンツ表示装置の構成を示すブロック図である。
【図４】第１実施形態におけるコンテンツ配信装置の構成を示すブロック図である。
【図５】（ａ）前記コンテンツ配信装置において生成されるコンテンツリストの一例を示す説明図，（ｂ）前記コンテンツリストにおいてコンテンツファイル名を変更する一例を示す説明図である。
【図６】第１実施形態における第１コンテンツ表示処理を説明するための動作フローである。
【図７】第１実施形態におけるコンテンツリスト編集処理を説明するための動作フローである。
【図８】第１実施形態における第１コンテンツ配信処理を説明するための動作フローである。
【図９】第１実施形態における動作画面を示す説明図である。
【図１０】第１実施形態における動作画面を示す説明図である。
【図１１】前記動作画面においてコンテンツファイルを変更することを示す説明図である。
【図１２】前記動作画面においてコンテンツファイルを変更したときの表示状態を示す説明図である。
【図１３】第２実施形態におけるコンテンツ表示装置の構成を示すブロック図である。
【図１４】第２実施形態における第２コンテンツ表示処理を説明するための動作フローである。
【図１５】第３実施形態における第３コンテンツ表示処理を説明するための動作フローである。
【図１６】第３実施形態における動作画面を示す説明図である。
【図１７】第４実施形態における第４コンテンツ表示処理を説明するための動作フローである。
【図１８】第４実施形態における動作画面を説明するための図である。
【発明を実施するための形態】
【００１６】
以下に、本発明の実施の形態について、図を参照しながら詳細に説明する。以下の説明では、本発明のコンテンツ配信装置及びコンテンツ表示装置を含むコンテンツ配信システムを例に説明する。なお、本実施形態は、本発明を説明するための一例であり、実施形態の内容に限定されないことは勿論である。
【００１７】
［１．第１実施形態］
まず、第１実施形態について説明する。
第１実施形態は、コンテンツ配信装置において、コンテンツ表示装置に送信するコンテンツのリストを作成して、コンテンツを所定のコンテンツ表示装置に送信・配信する例である。
【００１８】
［１．１  全体構成］
まず、全体構成について図１及び図２を用いて説明する。
図１は、コンテンツ表示装置の概略を説明するための図である。
コンテンツ表示装置１０は、例えば大型のディスプレイを設けて構成されている。
例えば、液晶ディスプレイを表示装置としたディスプレイ装置である。
このようなディスプレイは、インフォメーションディスプレイと呼ばれ、例えば店舗や、ションピングモール、公共施設、公共機関といった人の集まる場所に多く設置される。
【００１９】
コンテンツ表示装置１０は、例えば外部ＩＦ（インタフェース）として、ＵＳＢ（Universal Serial Bus）インタフェースを設けている。ＵＳＢインタフェースには、各種周辺装置が接続可能であり、本実施形態では外部記憶装置を接続する。外部記憶装置としては、例えばＵＳＢメモリ、外付けＨＤＤ、ＳＳＤ、メモリカード等が利用可能である。図１では、ＵＳＢメモリ１５が装着可能に示されている。
【００２０】
なお、外部ＩＦとしては、例えばＳＤカードであれば、カードスロットを設ければ良い。すなわち、接続される周辺装置に対応するインタフェースが提供されている。本実施形態におけるＩＦは、少なくとも外部記憶装置が接続可能なインタフェースである。
【００２１】
図２は、コンテンツ表示装置１０、コンテンツ配信装置２０を含むコンテンツ配信システム１の全体を示す図である。
コンテンツ表示装置１０は、一又は複数の装置が含まれている。
例えば、図２では、コンテンツ表示装置１０として、コンテンツ表示装置１０ａ、１０ｂ、１０ｃがネットワークＮＷを介してコンテンツ配信装置２０に接続されている。
【００２２】
また、コンテンツ表示装置１０には、ＵＳＢメモリがそれぞれ装着されている。
例えば、コンテンツ表示装置１０ａにはＵＳＢメモリ１５ａが、コンテンツ表示装置１０ｂにはＵＳＢメモリ１５ｂが、コンテンツ表示装置１０ｃにはＵＳＢメモリ１５ｃが接続されている。
【００２３】
コンテンツ配信装置２０は、コンピュータ・サーバで構成されている。
このコンピュータ・サーバ上でコンテンツ配信プログラム（コンテンツ配信アプリケーション）が実行されることによって、実現される。このとき、コンテンツ配信プログラムが実行可能であれば、例えば、タブレット端末や、スマートフォン等で実現されてもよい。
【００２４】
［１．２  機能構成］
続いて、各装置の機能構成について図を用いて説明する。
【００２５】
［１．２．１  コンテンツ表示装置］
コンテンツ表示装置１０の機能構成について図３を用いて説明する。図３に示すように、コンテンツ表示装置１０は、制御部１１０と、表示部１２０と、通信部１３０と、記憶部１４０と、コンテンツ表示制御部１５０と、ＵＳＢ接続部１６０とを備えて構成されている。
【００２６】
制御部１１０は、コンテンツ表示装置１０の全体を制御するための機能部である。制御部１１０は、記憶部１４０に記憶されている各種プログラムを読み出して実行することにより各種機能を実現しており、例えばＣＰＵ（Central Processing Unit）等により構成されている。
【００２７】
表示部１２０は、コンテンツを表示する為の機能部である。例えば、液晶ディスプレイや、有機ＥＬディスプレイ等により構成されている。なお、プロジェクタのような投影装置であったり、ＨＤＭＩ（登録商標）を利用して外部の表示装置に表示したりしてもよいことは勿論である。
【００２８】
通信部１３０は、コンテンツ表示装置１０が、コンテンツ配信装置２０と通信を行うための機能部である。例えば、有線／無線ＬＡＮで利用されるＮＩＣ（Network Interface Card）や、３Ｇ／ＬＴＥ回線に接続可能な通信モジュールにより実現されている。また、Ｂｌｕｅｔｏｏｔｈ（登録商標）や、ＺｉｇＢｅｅのような近距離無線通信を利用しても良い。
【００２９】
記憶部１４０は、コンテンツ表示装置１０の動作に必要な各種プログラムや、各種データが記憶されている機能部である。記憶部１４０は、例えば、半導体メモリや、ＨＤＤ（Hard Disk Drive）等により構成されている。
【００３０】
コンテンツ表示制御部１５０は、コンテンツを表示部１２０に表示する制御を行う機能部である。例えば、コンテンツを順次表示する制御を行う（例えば、静止画である画像データをスライドショー表示したり、動画データを連続再生したりする表示制御を行う）機能部である。
【００３１】
具体的には、コンテンツ表示制御部１５０は、メディアプレイヤーというプログラムが実行されることで、コンテンツが順次表示される。これは、ＵＳＢメモリ３００にアクセスし、ＵＳＢメモリ３００の特定フォルダ（「ＡｕｔｏＰｌａｙフォルダ」）に、コンテンツファイルが記憶されているか判定する。
【００３２】
そして、「ＡｕｔｏＰｌａｙ」フォルダにコンテンツファイルが記憶されていると、自動的に読み出し、コンテンツを表示する処理を行う。このとき、ファイル番号順に読み出し、表示することとなる。
【００３３】
なお、当該フォルダは別の名称であっても良いし、特にフォルダを指定しなくても良い。例えば、ＵＳＢメモリ３００にコンテンツファイルが記憶されている場合は、自動表示するといった処理としても良い。
【００３４】
ＵＳＢ接続部１６０は、ＵＳＢ機器と接続するための機能部である。例えば、ＵＳＢ２．０／３．０／３．１のインタフェースで構成されている。
なお、本実施形態では、ＵＳＢ機器を例にとって説明するが、外部装置として接続可能なインタフェースであれば良い。例えば、ＲＳ−２３２Ｃ、ＩＥＥＥ１３９４、Lightning、Thunderbolt、ＳＣＳＩ等のバス規格であっても良い。
【００３５】
ＵＳＢ接続部１６０を介して、外部記憶装置としてＵＳＢメモリ３００が接続されている。ここでいうＵＳＢメモリは、図１に示したＵＳＢメモリ１５が相当する。
本実施形態においては、外部記憶装置の一例としてＵＳＢメモリを説明するが、外付けＨＤＤ、ＳＳＤといった各種記憶装置であってもよい。また、カードリーダを介してＳＤカード、ＣＦカード等の記録媒体であっても良い。
【００３６】
ＵＳＢメモリ３００には、コンテンツファイル記憶領域３１０が確保されており、コンテンツファイルが記憶されている。ここで、本実施形態におけるコンテンツファイルは、表示部１２０に表示可能なコンテンツである。例えば、ＪＰＧ、ＧＩＦ、ＰＮＧ等の画像ファイル（静止画データ）や、ＷＭＶ、ＭＰＧ、ＡＶＩ等の動画ファイル（動画像データ）のことをいう。また、ＰＤＦやＨＴＭＬといった文章ファイルや、ドキュメントファイル等が利用出来ても良い。
【００３７】
［１．２．２  コンテンツ配信装置］
続いて、コンテンツ配信装置２０の機能構成について図４を用いて説明する。
コンテンツ配信装置２０は、制御部２１０と、表示部２２０と、通信部２３０と、記憶部２４０とを含んで構成されている。
【００３８】
制御部２１０は、コンテンツ配信装置２０の全体を制御するための機能部である。制御部２１０は、記憶部２４０に記憶されている各種プログラムを読み出して実行することにより各種機能を実現しており、例えばＣＰＵ（Central Processing Unit）等により構成されている。
【００３９】
表示部２２０は、コンテンツ配信機能により、各種操作画面コンテンツを表示する為の機能部である。例えば、液晶ディスプレイや、有機ＥＬディスプレイ等により構成されている。なお、プロジェクタのような投影装置であったり、ＨＤＭＩ（登録商標）を利用して外部の表示装置に表示してもよいことは勿論である。
【００４０】
通信部２３０は、コンテンツ配信装置２０が、コンテンツ表示装置１０と通信を行うための機能部である。例えば、有線／無線ＬＡＮで利用されるＮＩＣであったり、３Ｇ／ＬＴＥ回線に接続可能な通信モジュールにより実現されている。また、Ｂｌｕｅｔｏｏｔｈや、ＺｉｇＢｅｅのような近距離無線通信を利用しても良い。
【００４１】
記憶部２４０は、コンテンツ配信装置２０の動作に必要な各種プログラムや、各種データが記憶されている機能部である。記憶部２４０は、例えば、半導体メモリや、ＨＤＤ（Hard Disk Drive）等により構成されている。
【００４２】
また、記憶部２４０には、コンテンツファイル記憶領域２４２が確保されており、コンテンツ配信プログラム２４４を記憶している。
【００４３】
コンテンツファイル記憶領域２４２は、一又は複数のコンテンツファイルが記憶されている領域である。当該記憶されているコンテンツファイルの中から、利用者により選択されたコンテンツファイルがコンテンツ表示装置１０に送信・配信される。
【００４４】
コンテンツ配信プログラム２４４は、制御部２１０に読み出されて実行することにより、コンテンツ配信機能が実現される。コンテンツ配信プログラム２４４は、コンテンツ配信装置２０に限らず、一般のコンピュータや、タブレット端末等といった情報処理装置であれば実行することができる。
【００４５】
さらに、本実施形態では、コンテンツ配信プログラム２４４の特徴的な構成として、リスト生成機能（リスト生成手段）２５０と、ファイル名決定機能（ファイル名決定手段）２６０と、コンテンツ送信機能（コンテンツ送信手段）２７０と、一覧表示機能（一覧表示手段）２８０と、を備えている。
【００４６】
リスト生成機能２５０は、コンテンツ表示装置１０に送信するコンテンツのリストを生成する。
【００４７】
ファイル名決定機能２６０は、リストに含まれるコンテンツのファイル名を、コンテンツ表示装置１０がコンテンツを表示する順に連続となるように決定する。コンテンツ送信機能２７０は、ファイル名決定機能２６０により決定されたファイル名で、リストに含まれるコンテンツをコンテンツ表示装置１０に送信する。一覧表示機能２８０は、リストに含まれるコンテンツを一覧表示する。
【００４８】
一覧表示機能２８０は、コンテンツ表示装置１０の表示順と、ファイル名とをコンテンツと共に表示する。
【００４９】
ここで、コンテンツ表示装置１０に送信するコンテンツリストの作成の一例を、図５（ａ），（ｂ）を用いて説明する。
【００５０】
リスト生成機能２５０によるコンテンツリストの作成は、図５（ａ）に示すように、コンテンツ配信装置２０の記憶部２４０に収容されているコンテンツファイルの中から、例えば、４個のコンテンツファイル、yasai.jpg，pc.jpg，sm.jpg，ykhm.jpgを選択する。
そして、ファイル名決定機能２６０により決定するコンテンツのファイル名を、送信するときの送信ファイル名として、表示する順に、例えば、01.jpg，02.jpg，03.jpg，04.jpgと決定する。
【００５１】
コンテンツリストに含まれる４個のコンテンツファイル、yasai.jpg，pc.jpg，sm.jpg，ykhm.jpgは、送信ファイル、01.jpg，02.jpg，03.jpg，04.jpgとして、この順序でコンテンツ表示装置１０に送信される。
【００５２】
なお、コンテンツ送信機能２７０は、コンテンツファイルを送信する際に、送信ファイル、01.jpg，02.jpg，03.jpg，04.jpgに対応するコンテンツのファイル名を、例えば、図５（ｂ）に示すように、pc.jpg，yasai.jpg，sm.jpg，ykhm.jpgの順に変更すると、コンテンツ表示装置１０に送信されるコンテンツは、変更された順に送信される。
【００５３】
このように、ファイル名決定機能２６０により決定された送信ファイルに対応するコンテンツのファイル名を変更することで、コンテンツ表示装置１０に送信するコンテンツの送信順序を変更することができる。
【００５４】
［１．３  処理の流れ］
続いて、本実施形態における処理の流れについて、図を参照して説明する。
【００５５】
［１．３．１  第１コンテンツ表示処理］
コンテンツ表示装置１０において、コンテンツを表示する場合に実行される第１コンテンツ表示処理について、図６の動作フローを用いて説明する。
【００５６】
まず、電源がスタンバイモード（電源待機状態）になっているときに、電源をＯＮにする操作が検出されると、電源の状態が「ＯＮ」に遷移する（ステップＳ１０２→ステップＳ１０４；Ｙｅｓ→ステップＳ１０６）。
【００５７】
ここで、コンテンツ表示装置１０の電源の状態として３つの状態がある。まず、電源がＯＮされる前の状態である「電源待機状態（スタンバイモード）」と、電源はＯＮであるが、ＨＤＭＩモードや、ＤＶＩモード等の外部信号に基づいて表示する場合に、外部から信号が入力されていなかたったり、ＵＳＢモードにおいてＵＳＢメモリ（外部記憶装置）が接続されていなかったりする場合の「信号待機状態」と、電源がＯＮになっており、信号が入力されたり、外部記憶装置からコンテンツデータを読み出している状態である「ＯＮ（電源ＯＮ）状態」の３つが遷移可能である。
【００５８】
また、電源状態がＯＮのときに、コンテンツ表示装置１０は複数の表示モードがある。これは、外部入力に応じて切り替え可能であり、例えば、ＨＤＭＩ、ＤＶＩ、Ｄ−ＳＵＢ、コンポジット等の入力に応じてモードを切り替えることができる。また、ＵＳＢメモリ（外部記憶装置）からコンテンツデータを読み出す「ＵＳＢモード」が選択可能である。
【００５９】
「ＵＳＢモード」が選択されている場合、ＵＳＢメモリ等の外部記憶装置においてＡｕｔｏＰｌａｙフォルダが存在するか否かを確認する。そして、ＡｕｔｏＰｌａｙフォルダが存在する場合には、ＡｕｔｏＰｌａｙフォルダに含まれているコンテンツファイルを連続して表示することとなる。
【００６０】
具体的にフローで説明すると、まずＵＳＢモード以外の場合には、選択されているモードに応じた動作を実行する（ステップＳ１０８；Ｎｏ）。本実施形態では、他の動作モードのときの処理についての説明は省略する。
【００６１】
ここで、ＵＳＢモードが選択されている場合に（ステップＳ１０８；Ｙｅｓ）、ＡｕｔｏＰｌａｙフォルダが存在するか否かを判定する（ステップＳ１１０）。
【００６２】
すなわち、ＵＳＢ接続部１６０に、ＵＳＢメモリ３００が接続されており、更にＵＳＢメモリ３００にＡｕｔｏＰｌａｙフォルダが存在する場合には（ステップＳ１１０；Ｙｅｓ）、コンテンツ表示処理が実行される（ステップＳ１１２〜ステップＳ１１５）。
【００６３】
コンテンツ表示処理は、ＡｕｔｏＰｌａｙフォルダに記憶されているコンテンツファイルに基づいたコンテンツを、コンテンツ表示装置１０に記憶されているメディアプレイヤーによって順次表示させる処理である。例えば、ファイル番号が連番（０１、０２、…）と記憶されている場合には、ファイル番号順に表示・再生させたりすることが可能となる。
【００６４】
メディアプレイヤーは、記憶されているコンテンツに基づいて、画像コンテンツ・ドキュメントコンテンツを表示したり、動画コンテンツを再生したりする機能を有している。
【００６５】
ここでは、ファイル番号が０１（ｎ＝０１）のコンテンツファイルが確認されると（ステップＳ１１１）、01.jpgのコンテンツが表示される（ステップＳ１１２）。
【００６６】
そして、利用者が設定した所定時間が経過した否かが判断されて（ステップＳ１１３）、所定時間が経過すると、次のファイル番号のコンテンツファイルが確認される（ステップＳ１１４）。
【００６７】
次のファイル番号のコンテンツファイルが存在する場合は、次のファイル番号のコンテンツが表示される（ステップＳ１１５；Ｙｅｓ→ステップＳ１１２）。
ファイルが存在する限りこのような処理が実行される。
【００６８】
一方、次のファイル番号のコンテンツファイルが存在しないと判断された場合は、他モードに切り替えるか否かが判断される（ステップＳ１１５；Ｎｏ→ステップＳ１１７）。
【００６９】
ここで、他モードにも切り替えられず、電源ＯＦＦの操作が行われない限りは、繰り返しコンテンツが表示されることとなる（ステップＳ１１７；Ｎｏ→ステップＳ１１９；Ｎｏ→ステップＳ１０８）。なお、電源ＯＦＦの操作がなされると、本実施形態では電源待機状態に遷移する。
【００７０】
他方、他モードに切り替えられたられた場合は、当該モードに対応するモードで動作したり（ステップＳ１１７；Ｙｅｓ）、電源ＯＦＦ操作が行われた場合は、本処理を終了し、電源がＯＦＦとなる（ステップＳ１１７；Ｎｏ→ステップＳ１１９；Ｙｅｓ）。
【００７１】
［１．３．２  コンテンツリスト編集処理］
コンテンツ配信装置２０によるコンテンツリスト編集処理について、図７を用いて説明する。
【００７２】
まず、コンテンツ配信装置２０は、記憶部２４０からコンテンツリストを読み出して、送信するコンテンツファイルのリストを作成する（ステップＳ１２２）。
【００７３】
そして、コンテンツリストにコンテンツファイルを追加する場合は、コンテンツリストの末尾にコンテンツファイルが追加される（ステップＳ１２４；Ｙｅｓ→ステップＳ１２６）。そして、コンテンツリストのコンテンツファイルをコンテンツ表示装置１０に配信するか否かが確認される（ステップＳ１２８）。
【００７４】
コンテンツファイルを追加しない場合は、そのままコンテンツリストのコンテンツファイルをコンテンツ表示装置１０に配信するか否かが確認される（ステップＳ１２４；Ｎｏ→ステップＳ１２８）。
【００７５】
コンテンツファイルをコンテンツ表示装置１０に配信する場合は、コンテンツ表示装置１０のコンテンツリストを更新して、コンテンツ配信装置２０のコンテンツファイルを削除するか否かが確認される（ステップＳ１２８；Ｙｅｓ→ステップＳ１３０→ステップＳ１３２）。
【００７６】
一方、コンテンツファイルをコンテンツ表示装置１０に配信しない場合は、コンテンツ表示装置１０のコンテンツリストのコンテンツファイルは削除せずに終了する（ステップＳ１２８；Ｎｏ→ステップＳ１３２；Ｎｏ→ステップＳ１３６）
【００７７】
コンテンツリストからコンテンツファイルを削除する場合は、コンテンツ配信装置２０のコンテンツリストからコンテンツファイルを削除して終了する（ステップＳ１３２；Ｙｅｓ→ステップＳ１３４→ステップＳ１３６）。
【００７８】
このようにして、コンテンツ配信装置２０におけるコンテンツリストの編集処理が行われる。
【００７９】
［１．３．３  第１コンテンツ配信処理］
コンテンツ配信装置２０が実行する第１コンテンツ配信処理について、図８を用いて説明する。
【００８０】
まず、コンテンツ配信装置２０は、コンテンツ表示装置１０にログインする（ステップＳ１５２）。一例として、コマンド送信のためにｔｅｌｎｅｔで接続し、コンテンツファイル送信のために、ｆｔｐで接続する。以下、コンテンツ表示装置１０の状態を取得する場合には、ｔｅｌｎｅｔ経由でコマンドを送信し取得するが、他のプロトコルを利用してもよいことは当然である。例えば、ｔｅｌｎｅｔの代わりにＳＳＨを利用したり、ｆｔｐの代わりにｓｆｔｐ／ｓｃｐを利用してもよい。
【００８１】
続いて、コンテンツ表示装置１０の電源状態を取得する（ステップＳ１５４）。これは、現在コンテンツ表示装置１０が、既にＵＳＢメモリ３００にアクセスしているときに、ファイルの記憶・更新といった処理を行わないために確認される処理である。
【００８２】
取得された電源状態が「電源待機状態」でなく、現在の入力モードがＵＳＢモードの場合は、電源を電源待機状態（スタンバイ）に変更する（ステップＳ１５６；Ｎｏ→ステップＳ１５８→ステップＳ１６０；Ｙｅｓ→ステップＳ１６２）。これにより、書換え中の画面を利用者に対して表示させないという効果と、安全にファイルの書き込みを行うことができるという効果が期待できる。
【００８３】
なお、本実施形態では「電源待機状態」にすることで実現しているが、他の方法も考えられる。例えば、ＵＳＢドライバの接続を解除し、画面を非表示にするといった処理を実行してもよい。
【００８４】
他方、現在の電源状態が「電源待機状態」の場合（ステップＳ１５６；Ｙｅｓ）又は入力モードがＵＳＢモード以外の場合は（ステップＳ１５６；Ｎｏ→ステップＳ１５８→ステップＳ１６０；Ｎｏ）、電源をスタンバイ（電源待機状態）にするといった処理は行われない。
【００８５】
この場合、システムはＵＳＢメモリ３００にアクセスしていないために、電源待機状態にスタンバイにしないためである。また、他のモードで既にコンテンツが表示されている（例えば、ＨＤＭＩモードで、外部入力のコンテンツが表示されている）場合に、そのまま表示するためである。
【００８６】
なお、このような場合であっても、電源待機状態にすることとしても良い。例えば、ファイルシステムの破損を防ぐといった安全性を優勢し、電源待機状態にすることとしても良い。
【００８７】
続いて、ＵＳＢメモリ３００にＡｕｔｏＰｌａｙフォルダがない場合には、ＡｕｔｏＰｌａｙフォルダを作成する（ステップＳ１６４；Ｎｏ→ステップＳ１６６）。他方、既に存在する場合は、ＡｕｔｏＰｌａｙフォルダ内のファイルを削除する（ステップＳ１６４；Ｙｅｓ→ステップＳ１６８）。
【００８８】
なお、本実施形態では、ＡｕｔｏＰｌａｙフォルダ内のファイルを一度削除することとして説明しているが、現在のコンテンツファイルはそのまま残し、追記する追加モードを設けてもよい。追加モードが選択された場合は、ステップＳ１６８は実行されない。
【００８９】
また、一律に新しいフォルダを作成する（現在のフォルダは削除する）という処理としてもよい。
【００９０】
続いて、送信用コンテンツのファイル名を変更するファイルリネーム処理が行われる（ステップＳ１７０）。ここで、ファイルリネーム処理が終わったら、メディアプレイヤーのリセット処理が実行される（ステップＳ１７２）。
【００９１】
ここで、メディアプレイヤーのリセット処理としては、例えばコンテンツ表示装置１０の電源ＯＮ／ＯＦＦによって実行される。具体的には、一度コンテンツ表示装置１０の電源がＯＦＦとなってから再度ＯＮとなる操作（リセット操作）がなされると、メディアプレイヤーがリセットされ、ＡｕｔｏＰｌａｙフォルダに入っているコンテンツデータを改めて表示する処理を実行する。
【００９２】
なお、コンテンツ配信装置２０は、ステップＳ１５２で行われたログイン状態が解除されることから、再度ログイン処理を行っても良い。例えば、所定時間毎にログイン処理を実行し、ログインができた状態になれば、メディアプレイヤーのリセット処理が完了したと判定することができる。
【００９３】
そして、ログアウト処理後（ステップＳ１７４）、入力モードをＵＳＢに切り替える制御を行うことにより（ステップＳ１７６）、ステップＳ１７０により送信されたコンテンツデータがメディアプレイヤーによって表示・再生されることとなる。
【００９４】
［１．４．１  コンテンツ配信動作例１］
続いて、具体的な動作例（画面例）を、図を参照して説明する。
図９は、コンテンツ配信装置２０において、第１コンテンツ配信処理が実行されたときに表示部２２０に表示される表示画面Ｗ１００の一例である。
【００９５】
表示画面Ｗ１００に示すように、リストに含まれているコンテンツファイルが、コンテンツ配信装置２０から、コンテンツ表示装置１０にて送信されることとなる。
このコンテンツファイルのリストが領域Ｒ１００に表示されている。
領域Ｒ１００に表示されているように、リストの属性と、リスト名とが並んで表示されている。リストの属性（例えば、動画コンテンツのリスト、静止画コンテンツのリスト）が識別表示されることにより、利用者は直感的に当該リストがどのようなコンテンツが含まれているリストを識別することができる。
【００９６】
そして、現在選択されているリスト名が領域Ｒ１０２に表示され、一覧表示機能２８０によりリストに含まれているコンテンツ（ファイル）が領域Ｒ１０４に表示されている。
なお、選択されているリストは、利用者が識別できれば良く、例えば、領域Ｒ１００に表示されているリスト一覧の中から、選択されているリストについて識別表示（例えば反転表示）がされていても良い。
【００９７】
また、領域Ｒ１０４に表示されているコンテンツは、複数のコンテンツがタイル状に表示されている。例えば、コンテンツＣ１００が表示され、当該コンテンツのコンテンツファイル名Ｃ１０４が表示されている。
【００９８】
また、リストにおける順序Ｃ１０２が表示されており、利用者はコンテンツが表示・再生される順序を認識することが可能となる。コンテンツとしては、例えばタイル状ではない一覧表示であってもよい。
【００９９】
また、表示画面Ｗ１００には、複数の操作ボタンが表示されている。例えば、実際にコンテンツ表示装置１０に対して配信を行う配信ボタンＢ１００や、コンテンツファイルをリストに追加するための追加ボタンＢ１０２、削除するための削除ボタンＢ１０４が表示されている。また、後述する予約配信ボタンＢ１０６も表示されている。
【０１００】
この画面において、配信ボタンＢ１００が選択された場合の動作例（画面例）が、図１０の表示画面Ｗ１１０である。表示画面Ｗ１１０では、配信先を指定するウィンドウＷ１１５が新たに表示されている。
【０１０１】
そして、ウィンドウＷ１１５には、領域Ｒ１１０に配信されるリスト名が表示されており、配信先として、どのコンテンツ表示装置（パネル）を選択するかがＲ１１２に表示されている。
【０１０２】
ここで、配信したいコンテンツ表示装置１０を選択し、ＯＫボタンを選択することにより、具体的にリストに含まれているコンテンツファイルが、選択されたコンテンツ表示装置１０に送信されることとなる。
【０１０３】
［１．４．２  コンテンツ配信動作例２］
続いて、コンテンツ表示装置１０に配信するコンテンツファイルに対して、コンテンツファイルの名称を変更して配信するときの具体的な動作例（画面例）を、図を参照して説明する。
【０１０４】
図１１は、コンテンツ配信装置２０において、コンテンツファイルの名称を変更（リネーム）してコンテンツ配信処理が実行されるときの状況を示す説明図であり、図１２は、コンテンツファイルの名称を変更したときに表示部２２０に表示される表示画面Ｗ１００の説明図である。
【０１０５】
本実施形態では、コンテンツ配信装置２０によりコンテンツ表示装置１０に送信されるコンテンツファイルは、コンテンツ表示装置１０において、送信された順に表示されるようになっている。
【０１０６】
コンテンツ配信装置２０において、図５（ｂ）に示すように、コンテンツリストの送信ファイル01.jpgに対応するコンテンツファイルをpc.jpgに変更し、送信ファイル02.jpgに対応するコンテンツファイルをyasai.jpgに変更してコンテンツ配信処理が実行されると、図１１から図１２に示すように、yasai.jpgの画像が02.jpgの画像の位置に移動し、02.jpgの画像がyasai.jpgの画像の位置に移動して表示される。
【０１０７】
このように、コンテンツ配信装置２０によれば、コンテンツリストにおいて、コンテンツ表示装置１０に配信するコンテンツファイルの名称を変更することで、コンテンツ表示装置１０に送信されるコンテンツファイルの順番を変更することができる。
【０１０８】
本実施形態では、コンテンツ配信装置２０において、領域Ｒ１０４に表示されているコンテンツは、複数のコンテンツがタイル状に表示されている。例えば、コンテンツＣ１００が表示され、当該コンテンツのコンテンツファイル名Ｃ１０４が表示されている。また、リストにおける順序Ｃ１０２が表示されており、利用者はコンテンツが表示・再生される順序を認識することが可能となる。コンテンツとしては、例えばタイル状ではない一覧表示であってもよい。
【０１０９】
以上のように構成したので、本実施形態によれば、コンテンツ配信装置２０において、リスト生成機能２５０と、ファイル名決定機能２６０と、コンテンツ送信機能２７０と、を備えることで、コンテンツリストを作成して送信するコンテンツの送信ファイル名を決定して、送信ファイル名に対応したコンテンツファイルを順番にコンテンツ表示装置１０に送信することができる。このようにして、コンテンツリストを用いることで、コンテンツ配信装置２０より配信するコンテンツの登録と管理を容易に行うことができる。
【０１１０】
また、本実施形態のコンテンツ配信装置２０によれば、コンテンツリストにおいて、送信ファイル名に対応するコンテンツファイル名を変更することで、送信ファイル名に対応したコンテンツファイルを順番に送信することができる。
【０１１１】
［２．第２実施形態］
次に、第２実施形態について説明する。
第２実施形態は、コンテンツ配信装置２０から送信されたコンテンツファイルをコンテンツ表示装置１０が受信した後に、コンテンツのファイル名を変更することができるようにしたものである。
【０１１２】
［２．１  コンテンツ表示装置］
第２実施形態では、第１実施形態のコンテンツ表示装置１０の構成に加えて、図１４に示すように、コンテンツ表示制御部１５０の特徴的な構成として、コンテンツ受信機能（コンテンツ受信手段）１５２と、ファイル名決定機能（ファイル名決定手段）１５４と、ファイル名変更機能（ファイル名変更手段）１５６と、を備えている。
【０１１３】
コンテンツ受信機能１５２は、コンテンツ配信装置からコンテンツを受信する。
ファイル名決定機能１５４は、受信されたコンテンツのファイル名を、受信順に連続となるようにファイル名を決定する。
ファイル名変更機能１５６は、受信したコンテンツのファイル名を、ファイル名決定機能により決定されたファイル名に変更する。
【０１１４】
また、第２実施形態は、コンテンツ表示装置１０の処理を、図６から図１４に置き換えたものである。本実施形態では、当該処理を中心に説明する。
【０１１５】
［２．２  第２コンテンツ表示処理］
コンテンツ表示装置１０において、コンテンツを表示する場合に実行される第２コンテンツ表示処理について、図１４の動作フローを用いて説明する。
【０１１６】
まず、コンテンツ表示装置１０において、準備信号を受信して、ＵＳＢモードが選択されている場合は、スタンバイ状態に移行する（ステップＳ２０２；Ｙｅｓ→ステップＳ２０４；Ｙｅｓ→ステップＳ２０６）。一方、ＵＳＢモードが選択されていない場合は、外部記憶装置においてＡｕｔｏＰｌａｙフォルダが存在するか否かを確認する（ステップＳ２０４；Ｎｏ→ステップＳ２０８）。
【０１１７】
そして、ＡｕｔｏＰｌａｙフォルダが存在する場合には、ＡｕｔｏＰｌａｙフォルダに含まれているコンテンツファイルを削除して、コンテンツ配信装置２０から送信されたコンテンツファイルを受信する（ステップＳ２０８；Ｙｅｓ→ステップＳ２１０→ステップＳ２１２）。一方、ＡｕｔｏＰｌａｙフォルダが存在しない場合は、そのままコンテンツ配信装置２０から送信されたコンテンツファイルを受信する（ステップＳ２０８；Ｎｏ→ステップＳ２１２）。
【０１１８】
コンテンツファイルの受信は、ファイル番号が０１（ｎ＝０１）のコンテンツファイルが受信されると、受信したコンテンツファイルを「n.jpg」で記憶する（ステップＳ２１２→ステップＳ２１４→ステップＳ２１６）。
【０１１９】
そして、コンテンツファイル受信の完了信号を受信しない場合は、次のファイル番号のコンテンツファイルを受信する（ステップＳ２１８→ステップＳ２２０；Ｎｏ→ステップＳ２１４）。ファイルが受信される限りこのような処理が実行される。
【０１２０】
そして、コンテンツファイル受信の完了信号を受信した場合は、自動再生が実行されて、コンテンツ表示処理が実行される（ステップＳ２２０；Ｙｅｓ→ステップＳ２２２；Ｙｅｓ→ステップＳ２２４）。一方、自動再生が実行されない場合は（ステップＳ２２０；Ｎｏ）、そのまま終了する。
【０１２１】
このようにして、コンテンツ表示装置１０に受信されたコンテンツファイルは、例えば、図５（ａ）に示すように、ファイル名決定機能１５４により送信ファイル名に対応したコンテンツファイル名が設定されるようになっている。
【０１２２】
本実施形態では、コンテンツ表示装置１０にコンテンツファイルが受信された後に、送信ファイル名に対応するコンテンツファイル名を変更（リネーム）することで、送信ファイル名に対応するコンテンツファイルを入れ替えて表示することを特徴としている。
【０１２３】
以上のように構成したので、本実施形態によれば、コンテンツ表示装置１０において、コンテンツファイルが受信された後に、送信ファイル名に対応するコンテンツファイル名を変更可能にすることで、コンテンツ表示装置１０に表示するコンテンツの順番を容易に変更することができる。
【０１２４】
［３．第３実施形態］
次に、第３実施形態について説明する。
第３実施形態は、コンテンツ配信装置２０から送信されたコンテンツファイルを、コンテンツ表示装置１０において、設定された時間で再生するようにしたものである。
【０１２５】
第３実施形態は、第１実施形態の機能及び構成は同一であるが、コンテンツ表示装置１０の処理を、図６から図１５に置き換えたものである。本実施形態では、当該処理を中心に説明する。
【０１２６】
［３．１  第３コンテンツ表示処理］
コンテンツ表示装置１０において、コンテンツを表示する場合に実行される第３コンテンツ表示処理について、図１５の動作フローを用いて説明する。
【０１２７】
まず、電源がスタンバイモード（電源待機状態）になっているときに、電源をＯＮにする操作が検出されると、電源の状態が「ＯＮ」に遷移する（ステップＳ３０２→ステップＳ３０４；Ｙｅｓ→ステップＳ３０６）。
【０１２８】
ＵＳＢモード以外の場合には、選択されているモードに応じた動作を実行する（ステップＳ３０８；Ｎｏ）。本実施形態では、他の動作モードのときの処理についての説明は省略する。
【０１２９】
ＵＳＢモードが選択されている場合に（ステップＳ３０８；Ｙｅｓ）、ＡｕｔｏＰｌａｙフォルダが存在するか否かを判定する（ステップＳ３１０）。
【０１３０】
すなわち、ＵＳＢ接続部１６０に、ＵＳＢメモリ３００が接続されており、更にＵＳＢメモリ３００にＡｕｔｏＰｌａｙフォルダが存在する場合には（ステップＳ３１０；Ｙｅｓ）、コンテンツ表示処理が実行される（ステップＳ３１４〜ステップＳ３２０）。
【０１３１】
コンテンツ表示処理は、ＡｕｔｏＰｌａｙフォルダに記憶されているコンテンツファイルに基づいたコンテンツを、コンテンツ表示装置１０に記憶されているメディアプレイヤーによって順次表示させる処理である。
【０１３２】
ここでは、ファイル番号が０１（ｎ＝０１）のコンテンツファイルが確認されると（ステップＳ３１２）、ｎ_X.jpgのコンテンツファイルが読み出されて表示される（ステップＳ３１４）。
【０１３３】
そして、利用者が設定した所定時間（Ｘ秒）が経過した否かが判断されて（ステップＳ３１６）、所定時間が経過すると、次のファイル番号のコンテンツファイルが確認される（ステップＳ３１８）。
【０１３４】
次のファイル番号のコンテンツファイルが存在する場合は、次のファイル番号のコンテンツファイルが読み出されて表示される（ステップＳ３２０；Ｙｅｓ→ステップＳ３１４）。
ファイルが存在する限りこのような処理が実行される。
【０１３５】
一方、次のファイル番号のコンテンツファイルが存在しないと判断された場合は、他モードに切り替えるか否かが判断される（ステップＳ３２０；Ｎｏ→ステップＳ３２２）。
【０１３６】
ここで、他モードにも切り替えられず、電源ＯＦＦの操作が行われない限りは、繰り返しコンテンツが表示されることとなる（ステップＳ３２２；Ｎｏ→ステップＳ３２４；Ｎｏ→ステップＳ３０８）。なお、電源ＯＦＦの操作がなされると、本実施形態では電源待機状態に遷移する。
【０１３７】
他方、他モードに切り替えられたられた場合は、当該モードに対応するモードで動作したり（ステップＳ３２２；Ｙｅｓ）、電源ＯＦＦ操作が行われた場合は、本処理を終了し、電源がＯＦＦとなる（ステップＳ３２２；Ｎｏ→ステップＳ３２４；Ｙｅｓ）。
【０１３８】
［３．２  コンテンツ配信動作例］
続いて、具体的な動作例（画面例）を、図を参照して説明する。
図１６は、コンテンツ配信装置２０において、第３コンテンツ配信処理が実行されたときに表示部２２０に表示される表示画面Ｗ１００の一例である。
なお、第１実施形態のコンテンツ配信装置２０の表示部２２０に表示される表示画面Ｗ１００と同一の構成については、同一の符号を付すことにより、その詳細な説明を省略する。
【０１３９】
第３実施形態のコンテンツ配信装置２０では、第１実施形態のコンテンツ配信装置２０の表示部２２０の表示画面Ｗ１００に表示されるコンテンツの画像、リストにおける順序Ｃ１０２、コンテンツファイル名Ｃ１０４に加えて、さらに、再生時間Ｃ３０２を表示することを特徴としている。
【０１４０】
このように構成することで、本実施形態によれば、コンテンツ配信装置２０の表示部２２０の表示画面Ｗ１００上でコンテンツ表示装置１０に表示されるコンテンツの再生時間を確認することができるので、コンテンツ表示装置１０に表示されコンテンツの表示状態を感覚的に想像することができる。
【０１４１】
なお、コンテンツの画像とともに表示される再生時間Ｃ３０２の表示態様は、これに限定されるものではなく、設定時間に近い間隔で点滅するようにしてもよい。
【０１４２】
［４．第４実施形態］
次に、第４実施形態について説明する。
第４実施形態は、コンテンツ表示装置１０において、コンテンツ配信装置２０から送信されたコンテンツから選択した特定のコンテンツに対して特殊表示を行うものである。
【０１４３】
第４実施形態は、第１実施形態の機能及び構成は同一であるが、コンテンツ配信装置２０の処理を、図６から図１７に置き換えたものである。本実施形態では、当該処理を中心に説明する。
【０１４４】
［４．１  第４コンテンツ表示処理］
コンテンツ表示装置１０において、コンテンツを表示する場合に実行される第４コンテンツ表示処理について、図１７の動作フローを用いて説明する。
【０１４５】
まず、電源がスタンバイモード（電源待機状態）になっているときに、電源をＯＮにする操作が検出されると、電源の状態が「ＯＮ」に遷移する（ステップＳ４０２→ステップＳ４０４；Ｙｅｓ→ステップＳ４０６）。
【０１４６】
ＵＳＢモード以外の場合には、選択されているモードに応じた動作を実行する（ステップＳ４０８；Ｎｏ）。本実施形態では、他の動作モードのときの処理についての説明は省略する。
【０１４７】
ＵＳＢモードが選択されている場合に（ステップＳ４０８；Ｙｅｓ）、ＡｕｔｏＰｌａｙフォルダが存在するか否かを判定する（ステップＳ４１０）。
【０１４８】
すなわち、ＵＳＢ接続部１６０に、ＵＳＢメモリ３００が接続されており、更にＵＳＢメモリ３００にＡｕｔｏＰｌａｙフォルダが存在する場合には（ステップＳ４１０；Ｙｅｓ）、コンテンツの特殊表示処理が実行される（ステップＳ４１４〜ステップＳ４２６）。
【０１４９】
コンテンツ表示処理は、ＡｕｔｏＰｌａｙフォルダに記憶されているコンテンツファイルに基づいたコンテンツを、コンテンツ表示装置１０に記憶されているメディアプレイヤーによって順次表示させる処理である。
【０１５０】
ここでは、ファイル番号が０１（ｎ＝０１）のコンテンツファイルが確認されると（ステップＳ４１２）、ｎ.jpgのコンテンツファイルが読み出されて表示される（ステップＳ４１４）。
【０１５１】
そして、コンテンツファイルに特殊属性（表示制御の属性）が無い場合は、次のファイル番号のコンテンツファイルが確認され、所定時間経過したら、次のファイル番号のコンテンツファイルが確認され、ｎ.jpgのコンテンツファイルの存在が確認される（ステップＳ４１６；Ｎｏ→ステップＳ４２０→ステップＳ４２４→ステップＳ４２６）。
【０１５２】
一方、コンテンツファイルに特殊属性がある場合は、特殊表示処理が実行される（ステップＳ４１６；Ｙｅｓ→ステップＳ４２２）。そして、次のファイル番号のコンテンツファイルが確認され、ｎ.jpgのコンテンツファイルの存在が確認される（ステップＳ４２４→ステップＳ４２６）。
【０１５３】
次のファイル番号のコンテンツファイルが存在する場合は、次のファイル番号のコンテンツファイルが読み出されて表示される（ステップＳ４２６；Ｙｅｓ→ステップＳ４１４）。
ファイルが存在する限りこのような処理が実行される。
【０１５４】
一方、次のファイル番号のコンテンツファイルが存在しないと判断された場合は、他モードに切り替えるか否かが判断される（ステップＳ４２６；Ｎｏ→ステップＳ４２８）。
【０１５５】
ここで、他モードにも切り替えられず、電源ＯＦＦの操作が行われない限りは、繰り返しコンテンツが表示されることとなる（ステップＳ４２８；Ｎｏ→ステップＳ４３０；Ｎｏ→ステップＳ４０８）。なお、電源ＯＦＦの操作がなされると、本実施形態では電源待機状態に遷移する。
【０１５６】
他方、他モードに切り替えられたられた場合は、当該モードに対応するモードで動作したり（ステップＳ４２８；Ｙｅｓ）、電源ＯＦＦ操作が行われた場合は、本処理を終了し、電源がＯＦＦとなる（ステップＳ４２８；Ｎｏ→ステップＳ４３０；Ｙｅｓ）。
【０１５７】
［４．２  コンテンツ配信動作例］
続いて、具体的な動作例（画面例）を、図を参照して説明する。
図１８は、コンテンツ配信装置２０において、第４コンテンツ配信処理が実行されたときに表示部２２０に表示される表示画面Ｗ１００の一例である。
なお、第１実施形態のコンテンツ配信装置２０の表示部２２０に表示される表示画面Ｗ１００と同一の構成については、同一の符号を付すことにより、その詳細な説明を省略する。
【０１５８】
第４実施形態のコンテンツ配信装置２０では、例えば、コンテンツファイルpc.jpgに表示制御の属性として（２枚毎に表示される）という特殊属性がある場合は、図１８に示すように、表示部２２０の表示画面Ｗ１００に特殊属性のあるコンテンツを表示するウィンドウＷ４００が表示される。
【０１５９】
ウィンドウＷ４００には、コンテンツＣ４００が表示されるとともに、リストにおける順序Ｃ４０２と、コンテンツファイル名Ｃ４０４と、（２枚毎に表示される）という旨のコメントＣ４０６が表示される。
【０１６０】
これにより、コンテンツ配信装置２０から送信されるコンテンツファイルpc.jpgが、コンテンツ表示装置１０において（２枚毎に表示される）という特殊表示処理が実行されることが確認できる。
【０１６１】
このように構成することで、本実施形態によれば、コンテンツ配信装置２０から送信されるコンテンツファイルが特殊属性を有する場合に、コンテンツ配信装置２０の表示部２２０の表示画面Ｗ１００に特殊属性のあるコンテンツを表示するウィンドウＷ４００を表示することで、コンテンツ表示装置１０において特殊属性のあるコンテンツが特殊表示を行うということを容易に確認することができる。
【０１６２】
以上、この発明の実施形態について図面を参照して詳述してきたが、具体的な構成はこの実施形態に限られるものではなく、この発明の要旨を逸脱しない範囲の設計等も特許請求の範囲に含まれる。
【０１６３】
また、上述した実施形態は、説明した以外にも、矛盾のない範囲において適宜組み合わせて実行しても良いことは勿論である。
【０１６４】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【０１６５】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等の何れであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１６６】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０１６７】
また、上述した実施形態における各装置の一部又は全部を典型的には集積回路であるＬＳＩ（Large Scale Integration）として実現してもよい。各装置の各機能ブロックは個別にチップ化してもよいし、一部又は全部を集積してチップ化してもよい。また、集積回路化の手法はＬＳＩに限らず専用回路又は汎用プロセッサで実現しても良い。また、半導体技術の進歩によりＬＳＩに代替する集積回路化の技術が出現した場合、当該技術による集積回路を用いることも可能であることは勿論である。
【符号の説明】
【０１６８】
１  コンテンツ配信システム
１０，１０ａ，１０ｂ，１０ｃ  コンテンツ表示装置
２０  コンテンツ配信装置
１１０，２１０  制御部
１２０，２２０  表示部
１３０，２３０  通信部
１４０，２４０  記憶部
１５０  コンテンツ表示制御部
１５２  コンテンツ受信機能（コンテンツ受信手段）
１５４  ファイル名変更機能（ファイル名変更手段）
１６０  接続部
２４２  コンテンツファイル記憶領域
２４４  コンテンツ配信プログラム
２５０  リスト生成機能（リスト生成手段）
２６０  ファイル名決定機能（ファイル名決定手段）
２７０  コンテンツ送信機能（コンテンツ送信手段）
２８０  一覧表示機能（一覧表示手段）
Ｃ１００，Ｃ４００  コンテンツ
Ｃ１０２，Ｃ４０２  順序
Ｃ１０４，Ｃ４０４  コンテンツファイル名
Ｃ３０２  再生時間
Ｃ４０６  コメント
【図１】
2020144903.tif 000003
【図２】
2020144903.tif 000004
【図３】
2020144903.tif 000005
【図４】
2020144903.tif 000006
【図５】
2020144903.tif 000007
【図６】
2020144903.tif 000008
【図７】
2020144903.tif 000009
【図８】
2020144903.tif 000010
【図９】
2020144903.tif 000011
【図１０】
2020144903.tif 000012
【図１１】
2020144903.tif 000013
【図１２】
2020144903.tif 000014
【図１３】
2020144903.tif 000015
【図１４】
2020144903.tif 000016
【図１５】
2020144903.tif 000017
【図１６】
2020144903.tif 000018
【図１７】
2020144903.tif 000019
【図１８】
2020144903.tif 000020